(57)【要約】      （修正有）【課題】衛生面、安全面、および携帯性等の使用しやすさを改善した浴室用椅子シートを提供する。【解決手段】浴室用椅子シート１は、椅子の座面を覆うシート部２と、シート部の一辺から延びるシート部を収納するための収納用ベルト部３とを備える。シート部には、排水用の開口２１が設けられ、収納用ベルト部には、シート部を畳んだ状態で固定するための留め具３１、３２が設けられたことを特徴とするものであり、また、シート部を畳んだ状態で固定するための留め具の少なくとも一部は、収納用ベルト部に設けられた開口３２であることを特徴とする。【選択図】図１
0003198691.tif 000002
【実用新案登録請求の範囲】
【請求項１】
椅子の座面を覆うシート部と、
上記シート部の一辺から延びるシート部を収納するための収納用ベルト部と
を備え、
上記シート部には、排水用の開口が設けられ、
上記収納用ベルト部には、上記シート部を畳んだ状態で固定するための留め具が設けられた
ことを特徴とする浴室用椅子シート。
【請求項２】
上記シート部を畳んだ状態で固定するための留め具の少なくとも一部は、上記収納用ベルト部に設けられた開口である
ことを特徴とする請求項１に記載の浴室用椅子シート。
【請求項３】
上記収納用ベルト部は、
上記シート部側端部付近にキノコ状の凸部である留め部凸部と、
上記シート部とは逆の端部付近に上記留め部凸部に挿入可能な開口である留め部開口とを有する
ことを特徴とする請求項２に記載の浴室用椅子シート。
【請求項４】
上記収納用ベルト部は、
上記シート部とは逆の端部にシート部を畳んだ状態で挿入可能な開口であるシート挿入開口を有する
ことを特徴とする請求項２に記載の浴室用椅子シート。
【請求項５】
柔軟性を有する樹脂からなる
ことを特徴とする請求項１から４のいずれかに記載の浴室用椅子シート。
【請求項６】
シリコーン樹脂からなる
ことを特徴とする請求項５に記載の浴室用椅子シート。
【請求項７】
上記シート部は、
折り畳むための凹部を有する
ことを特徴とする請求項１から６のいずれかに記載の浴室用椅子シート。
【請求項８】
上記排水用の開口は複数の開口からなる
ことを特徴とする請求項１から７のいずれかに記載の浴室用椅子シート。
【考案の詳細な説明】
【技術分野】
【０００１】
本考案は、浴室において用いる椅子シートに関するものである。
【背景技術】
【０００２】
公衆浴場や一般家庭の浴室においては、身体を洗う際に椅子が広く用いられる。この椅子に楽な姿勢で着座し、着座したままで身体を洗ったり、シャワーに掛かったりできるので、よりリラックスして入浴を楽しむことができる。
【０００３】
ただし、着座時には、裸体の臀部が椅子の座面に直接触れるため、衛生面、例えば、感染症等に対する懸念がある。特に、公衆浴場においては、不特定多数の人が椅子を利用するため、この懸念はより大きくなる。
また、近年は、コスト面やデザイン面から樹脂製成形品の椅子が一般に用いられているが、樹脂製の椅子は滑りやすく、着座時に誤って転倒する惧れがある。高齢者の場合には、重大な事故につながることも考えられる。
【０００４】
上記の第二の問題を解決するために、布綿を裁断した椅子カバーが提案されている。この椅子カバーは、座面に合った形状に布綿を裁断し、且つ、カバーの対向する位置に一対の翼片を設け、翼片に固定具を設け、それにより、椅子に椅子カバーを固定するものである。（例えば、特許文献１）。
【先行技術文献】
【特許文献】
【０００５】
【特許文献１】実用新案登録第３１１６４２０号
【考案の概要】
【考案が解決しようとする課題】
【０００６】
上述した特許文献１に開示されている椅子カバーは、着座する際の転倒を防止できるものの、水分を吸収する素材であるため、衛生面に関しては十分な対策となっていなかった。また、椅子に固定する際に手間が掛かり、実用性に問題があった。
【課題を解決するための手段】
【０００７】
本考案の請求項１に係る浴室用椅子シートは、
椅子の座面を覆うシート部と、
上記シート部の一辺から延びるシート部を収納するための収納用ベルト部と
を備え、
上記シート部には、排水用の開口が設けられ、
上記収納用ベルト部には、上記シート部を畳んだ状態で固定するための留め具が設けられた
ことを特徴とする。
【０００８】
本考案の請求項２に係る浴室用椅子シートは、
上記シート部を畳んだ状態で固定するための留め具の少なくとも一部が、上記収納用ベルト部に設けられた開口である
ことを特徴とする。
【０００９】
本考案の請求項３に係る浴室用椅子シートは、
上記収納用ベルト部が、
上記シート部側端部付近にキノコ状の凸部である留め部凸部と、
上記シート部とは逆の端部付近に上記留め部凸部に挿入可能な開口である留め部開口とを有する
ことを特徴とする。
【００１０】
本考案の請求項４に係る浴室用椅子シートは、
上記収納用ベルト部が、
上記シート部とは逆の端部にシート部を畳んだ状態で挿入可能な開口であるシート挿入開口を有する
ことを特徴とする。
【００１１】
本考案の請求項５に係る浴室用椅子シートは、柔軟性を有する樹脂からなる
ことを特徴とする。
【００１２】
本考案の請求項６に係る浴室用椅子シートは、シリコーン樹脂からなる
ことを特徴とする。
【００１３】
本考案の請求項７に係る浴室用椅子シートは、上記シート部が折り畳むための凹部を有する
ことを特徴とする。
【００１４】
本考案の請求項８に係る浴室用椅子シートは、上記排水用の開口が複数の開口からなる
ことを特徴とする。
【考案の効果】
【００１５】
本考案に係る浴室用椅子シートは上記のように構成されるため、第一に、椅子の座をカバーするので、衛生的である。
【００１６】
第二に、シリコーン等の柔軟性のある樹脂を用いているため、樹脂製の椅子との密着性が良く、着脱が容易であり、実用性が高い。
また、これらの樹脂には抗菌素材を練り込むことも容易であり、それにより抗菌効果を高め、その効果を継続的に維持することができる。
さらに、射出成型等の成形法により表面に凹凸を施す等の加工も容易に行える。例えば、表面に細かな凹凸を設けることで滑り止め効果を高めることができる。あるいは、表面にマーク等を設けることで表裏を区別することができる。これにより、一定の面を常に臀部に当てて用いることができるので、さらに衛生的に使用可能である。
【００１７】
第三に、シリコーン等の柔軟性のある樹脂を用いているため、着座時に滑ることが無く、安全性が高い。また、座り心地がソフトで、着座時に感じる冷たさを低減できる。
【００１８】
第四に、簡単な手順で、浴室用椅子シートを小さく折り畳むことができるので、携帯に便利である。折り畳んだ筒状の形状に合わせた薄い樹脂ケース等を設ければ、そこに容易に収納できるので、使用後の濡れた状態での携帯に特に便利である。なお、折り込みを容易にするために設けられている凹部は、排水を促すための溝としての役割も有している。
【００１９】
第五に、収納用ベルト部６に設けられた留め具は、開口を利用したものである。例えば、実施の形態１にける浴室用椅子シート１には留め部開口３２が、実施の形態２における浴室用椅子シート４にはシート挿入開口６１が設けられている。これらの開口は、浴室用椅子シートを小さく折り畳んだ状態に固定する働きと共に、浴室用椅子シートを干す際にも利用できる。これらの開口を利用して浴室用椅子シートを干せば、垂直に全体を真っ直ぐに干すことができるので、短時間で乾きやすい。そして、留め具を含めて、浴室用椅子シート全体を一体として成形できるので、量産性に優れ、製造コストを低廉にできる。
【図面の簡単な説明】
【００２０】
【図１】本考案の実施の形態１に係る浴室用椅子シートの上面図である。
【図２】本考案の実施の形態１に係る浴室用椅子シートの収納方法を示す図である。
【図３】本考案の実施の形態２に係る浴室用椅子シートの上面図である。
【図４】本考案の実施の形態２に係る浴室用椅子シートを収納した際の図である。
【考案を実施するための形態】
【００２１】
本考案に係る浴室用椅子シートの構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００２２】
実施の形態１．
まず、図１を用いて、本実施の形態に係る浴室用椅子シートの構成について説明する。
図１は浴室用椅子シートの上面図である。浴室用椅子シート１は、椅子の座面を覆うシート部２と、このシート部２の一辺から延びるシート部を収納するための収納用ベルト部３を備え、シート部２には排水用の開口２１が設けられ、収納用ベルト部３にはシート部２を畳んだ状態で固定するための留め具が設けられている。
【００２３】
シート部２の大きさは一辺が１５ｃｍから３０ｃｍ程度の大きさであり、形状は長方形や正方形である。あるいは、円形や楕円形等の形状であっても良いし、例えば、キャラクターの顔の形状を模ったものでも良い。図１に示すように角部を丸めても良い。厚みは、０．５ｍｍから２ｍｍ程度である。材質は柔軟性を有する樹脂が良く、本実施の形態においてはシリコーンを用いた。シリコーン等の柔軟性のある樹脂を用いた理由は、加工性が良く量産に向いていることと、樹脂製の椅子の座と密着性が良いためである。また、抗菌素材を練り込むことも容易であり、それにより抗菌効果を高め、その効果を継続的に維持することもできる。
【００２４】
シート部２には、排水用の開口２１が設けられている。排水用の開口２１は直径が１ｃｍ以下の開口であり、できるだけ小さな開口を多く開けた開口群であることが望ましい。大きな穴であると、臀部が椅子の座に接触する危険性があるからである。
【００２５】
シート部２には、折り畳み用の凹部２２や２３を設けても良い。図１において、折り畳み用凹部２２は上面に設けられた凹部であり、折り畳み用凹部２３は下面に設けられた凹部である。シート部２を折り畳む際に、これらの凹部２２や２３に沿って折り畳むことで、スムースに折り畳むことができる。また、これらの凹部２２、２３には、排水を促進する水はけ効果もある。
【００２６】
収納用ベルト部３には、シート部２側端部付近にキノコ状の凸部である留め部凸部３１が設けられ、シート部２とは逆の端部付近に留め部凸部３１に挿入可能な開口である留め部開口３２が設けられている。
【００２７】
次に、図２を用いて、浴室用椅子シート１を折りたたむ動作について説明する。
図２（ａ）は浴室用椅子シート１を開いた状態であり、この状態から、折り畳み用凹部２２に沿ってシート部２を半分に折る（図２（ｂ））。次に、折り畳み用凹部２３に沿ってシート部２をさらに半分に折る（図２（ｃ））。そして、四つ折れになったシート部２をロール状に丸め、丸めたシート部２の周りに収納用ベルト部３を巻き付け、留め部凸部３１に留め部開口３２を挿入して固定する。
【００２８】
以上のように、簡単な手順で、浴室用椅子シート１を小さく折り畳むことができるので、携帯に便利である。
【００２９】
実施の形態２．
図３を用いて、本実施の形態に係る浴室用椅子シートの構成について説明する。本実施の形態に係る浴室用椅子シート４と、実施の形態１において説明した浴室用椅子シート１との相違点は、収納用ベルト部に設けられた留め具の構成である。その他の構成については相違点は無く、したがって、以下では留め具部分につてのみ説明する。
【００３０】
収納用ベルト部６には、シート部５とは逆の端部に、シート部５を畳んだ状態で挿入可能な開口であるシート挿入開口６１が設けられている。
図２において、浴室用椅子シートを折りたたむ動作について説明したが、図２（ｃ）に示す四つ折れになったシート部をロール状に丸めるところまでは同じ手順である。その後、丸めたシート部の周りに収納用ベルト部を巻き付けながら、シート挿入開口６１を丸めたシート部に挿入することで、シート部を丸めた状態で固定できる。浴室用椅子シート４を収納した際の状態を図４に示す。
【００３１】
以上のように、実施の形態１と同様に簡単な手順で、浴室用椅子シート４を小さく折り畳むことができるので、携帯に便利である。
【００３２】
実施の形態１および実施の形態２で示した浴室用椅子シートに関して、以下に特長をまとめる。
第一に、椅子の座をカバーするので、衛生的である。
【００３３】
第二に、シリコーン等の柔軟性のある樹脂を用いているため、樹脂製の椅子との密着性が良く、着脱が容易であり、実用性が高い。
また、これらの樹脂には抗菌素材を練り込むことも容易であり、それにより抗菌効果を高め、その効果を継続的に維持することができる。
さらに、射出成型等の成形法により表面に凹凸を施す等の加工も容易に行える。例えば、表面に細かな凹凸を設けることで滑り止め効果を高めることができる。あるいは、表面にマーク等を設けることで表裏を区別することができる。これにより、一定の面を常に臀部に当てて用いることができるので、さらに衛生的に使用可能である。
【００３４】
第三に、シリコーン等の柔軟性のある樹脂を用いているため、着座時に滑ることが無く、安全性が高い。また、座り心地がソフトで、着座時に感じる冷たさを低減できる。
【００３５】
第四に、簡単な手順で、浴室用椅子シートを小さく折り畳むことができるので、携帯に便利である。折り畳んだ筒状の形状に合わせた薄い樹脂ケース等を設ければ、そこに容易に収納できるので、使用後の濡れた状態での携帯に特に便利である。なお、折り込みを容易にするために設けられている凹部は、排水を促すための溝としての役割も有している。
【００３６】
第五に、収納用ベルト部６に設けられた留め具は、開口を利用したものである。例えば実施の形態１における浴室用椅子シート１には留め部開口３２が、実施の形態２にける浴室用椅子シート４にはシート挿入開口６１が設けられている。これらの開口は、浴室用椅子シートを小さく折り畳んだ状態に固定する働きと共に、浴室用椅子シートを干す際にも利用できる。これらの開口を利用して浴室用椅子シートを干せば、垂直に全体を真っ直ぐに干すことができるので、短時間で乾きやすい。そして、留め具を含めて、浴室用椅子シート全体を一体として成形できるので、量産性に優れ、製造コストを低廉にできる。
【００３７】
なお、本考案に係る浴室用椅子シートは、浴室用椅子の座に密着させて使用することを主目的としているが、浴槽の縁に座る際に、浴室用椅子シートを縁に密着させて使用することもできる。あるいは、水泳教室において、プールサイドに座る際に使用する等の様々な使用方法が考えられる。
【符号の説明】
【００３８】
１、４ 浴室用椅子シート
２、５ シート部
３、６ 収納用ベルト部
２１、５１ 排水用開口（群）
２２、２３、５２、５３ 折り畳み用凹部
３１ 留め具凸部
３２ 留め具開口
６１ 留め具（シート挿入開口）
【図１】
0003198691.tif 000003
【図２】
0003198691.tif 000004
【図３】
0003198691.tif 000005
【図４】
0003198691.tif 000006